【手続補正書】
【提出日】平成15年12月15日(2003.12.15)
【手続補正１】
【補正対象書類名】明細書
【補正対象項目名】全文
【補正方法】変更
【補正の内容】
【発明の名称】電気掃除機
【特許請求の範囲】
【請求項１】前部に塵埃を捕集する集塵室を、後部に塵埃を吸引するための電動送風機を内蔵した電動送風機室を配した掃除機本体と、前記集塵室の上部開口部を開閉し手掛け部を設けた集塵室蓋と、表示体を備え、前記表示体を前記手掛け部の下に配置させた電気掃除機。
【請求項２】表示体を吸込通路内の塵埃の量に応じて動作するようにした請求項１記載の電気掃除機。
【請求項３】表示体を掃除機本体の運転状態に応じて動作するようにした請求項１記載の電気掃除機。
【請求項４】電動送風機の電流を検知する電流検知手段を設け、前記電流検知手段により検知された電流値に応じて、表示体を動作させるようにした請求項１記載の電気掃除機。
【請求項５】塵埃の量、掃除機本体の運転状態、または電流検知手段により検知された電流値に応じて表示体の点滅速度を可変にするようにした請求項１ないし４のいずれかに記載の電気掃除機。
【請求項６】表示体は多色発光タイプ表示素子とし、塵埃の量、掃除機本体の運転状態、または電流検知手段により検知された電流値に応じて前記多色発光タイプ表示素子の色を制御する表示色制御手段を設けた請求項１ないし５のいずれかに記載の電気掃除機。
【請求項７】掃除機本体の運転中に充電し、運転停止後に表示体に電流を供給する充電手段を有する請求項１ないし６のいずれかに記載の電気掃除機。
【請求項８】表示体の取り付け部と、前記取り付け部に対向する集塵室蓋の手掛け部にそれぞれ反射材を設けた請求項１ないし７のいずれかに記載の電気掃除機。
【請求項９】塵埃を捕集する集塵室と塵埃を吸引するための電動送風機を配した掃除機本体と、前記集塵室の上部開口部を開閉する集塵室蓋と、一端が掃除機本体に接続され他端にホース手元部を設けたホースと、前記ホース手元部に設けられたハンドル部と、前記ハンドル部に設けられ発光部を有する電気式の運転表示制御手段とを備え、集塵室内の塵埃の量に応じて前記発光部の点滅速度を変化させるようにした電気掃除機。
【発明の詳細な説明】
【０００１】
【発明の属する技術分野】
本発明は、電気掃除機のインジケーターに関するものである。
【０００２】
【従来の技術】
従来の電気掃除機を図９を用いて説明する。
【０００３】
前部に集塵室１９、後部に電動送風機室２０を形成する掃除機本体と、前記集塵室１９の上部で集塵室１９を開閉する集塵室蓋２１と、前記電動送風機室２０に集塵室１９内の塵埃の量を表示する電気式のインジケーターを設けるとともに、前記インジケーターの表示部２２は電動送風機室２０の上部に少なくとも２個以上のＬＥＤをもって表示されていた。
【０００４】
【発明が解決しようとする課題】
電気式インジケーターの表示部を電動送風機室上部、つまり本体の天面に配置していることで、明るい場所での使用時に表示部に光が入り、視認性が悪いという問題があった。
【０００５】
また、塵埃量の表示に当たり複数の表示素子を使っており、スペース的にもまたコスト的にも少なくすることが要求されていた。
【０００６】
本発明は、以上のような従来の課題を解決しようとするものであって、視認性の良いインジケーターを有する電気掃除機を提供することを目的としている。
【０００７】
【課題を解決するための手段】
上記目的を達成するために本発明は、集塵室の上部開口部を開閉し手掛け部を設けた集塵室蓋と、表示体を備え、前記表示体を前記手掛け部の下に配置させたことにより、集塵室蓋の手掛け部が表示体の日除けとなり表示体への直射光の侵入を防ぎ、表示体は常に明るく視認性の良い状態で確認することができる。
【０００８】
【発明の実施の形態】
本発明は各請求項に記載の形態にて実施できるものである。すなわち、本発明の請求項１記載の発明のように、前部に塵埃を捕集する集塵室を、後部に塵埃を吸引するための電動送風機を内蔵した電動送風機室を配した掃除機本体と、前記集塵室の上部開口部を開閉し手掛け部を設けた集塵室蓋と、表示体を備え、前記表示体を前記手掛け部の下に配置させることにより、集塵室蓋の手掛け部が表示体の日除けとなり、表示体への直射光の侵入を防ぐことで、表示体は常に明るく視認性の良いものとなる。
【０００９】
また、本発明の請求項２記載の発明のように、表示体を吸込通路内の塵埃の量に応じて動作するようにすることにより、吸込通路の一部である集塵室内の塵埃が増してきた時、その満杯状態を明確に掃除機の使用者に知らしめることができる。
【００１０】
また、本発明の請求項３記載の発明のように、表示体を掃除機本体の運転状態に応じて動作するようにすることにより、掃除機本体の運転状態を明確に掃除機の使用者に知らしめることができる。
【００１１】
また、本発明の請求項４記載の発明のように、電動送風機の電流を検知する電流検知手段を設け、前記電流検知手段により検知された電流値に応じて、表示体を動作させるようにすることにより、集塵室内の塵埃が増し電動送風機を通過する風量が変化しそれにより、電動送風機の電流が変動するので、その変動で集塵室内の塵埃の満杯状態が検知でき、それを明確に掃除機の使用者に知らしめることができる。
【００１２】
また、本発明の請求項５記載の発明のように、塵埃の量、掃除機本体の運転状態、または電流検知手段により検知された電流値に応じて表示体の点滅速度を可変にするようにしたもので、１個の表示体で、その点滅速度を可変にすることで、使用者に、塵埃の量、掃除機本体の運転状態、または電動送風機の負荷状態、すなわち集塵室内の塵埃の量を的確に報知することができる。
【００１３】
また、本発明の請求項６記載の発明のように、表示体は多色発光タイプ表示素子とし、塵埃の量、掃除機本体の運転状態、または電流検知手段により検知された電流値に応じて前記多色発光タイプ表示素子の色を制御する表示色制御手段を設けることにより、１個の表示体で、その点灯色を可変にすることで、使用者に、塵埃の量、掃除機本体の運転状態、または電動送風機の負荷状態、すなわち集塵室内の塵埃の満杯状態を的確に報知することができる。
【００１４】
また、本発明の請求項７記載の発明のように、掃除機本体の運転中に充電し、運転停止後に表示素子に電流を供給する充電手段を設けることにより、掃除機本体の電源をオフにした状態においても、塵埃の量、掃除機本体の運転状態、または集塵室内の塵埃の量を確認することができる。
【００１５】
また、本発明の請求項８記載の発明のように、表示体の取り付け部と、前記取り付け部に対向する集塵室蓋の手掛け部にそれぞれ反射材を設けることにより、表示素子の光を増幅させ、表示体の取り付け部と集塵室蓋の手掛け部とで囲まれた部分全体が光るようにし視認性の向上を図ることができる。
【００１６】
また、本発明の請求項９記載の発明のように、塵埃を捕集する集塵室と塵埃を吸引するための電動送風機を配した掃除機本体と、前記集塵室の上部開口部を開閉する集塵室蓋と、一端が掃除機本体に接続され他端にホース手元部を設けたホースと、前記ホース手元部に設けられたハンドル部と、前記ハンドル部に設けられ発光部を有する電気式の運転表示制御手段とを備え、集塵室内の塵埃の量に応じて前記発光部の点滅速度を変化させるようにすることにより、より一層の視認性向上を図ることができる。
【００１７】
なお、前記各請求項に示す表示体はＬＥＤ等の発光素子，蛍光体，発光体等が好ましい。
【００１８】
【実施例】
（実施例１）
以下、本発明の実施例１について、図１と図２を参照して説明する。
【００１９】
図１において、１は本体下部であり、本体上部２と結合して掃除機の本体を構成する。本体は、後部に吸引用の電動送風機３を配置した電動送風機室４を設け、その前部には集塵室蓋５で覆われた集塵室６を設けている。集塵室蓋５は、本体上部２に後方を軸支されて開閉自在となっている。また、集塵室６の前部には吸気口に連通するホース接続口を有するフロントカバー７がある。
【００２０】
また、集塵室６内の塵埃の量を表示するインジケーターは、電動送風機３の電流値により塵埃の量を判断する電気式のものであり、その表示体８は１個のＬＥＤを用いている。また、インジケーターの表示体８はＬＥＤがフロントカバー７の上面で集塵室蓋５の手掛け部５ａの下へ位置するようにフロントカバー７に取り付けられている。
【００２１】
上記構成による作用は、以下の通りである。
【００２２】
電動送風機３の吸引により、塵埃が集塵室６内の紙パック９へと集塵される。紙パック９内の塵埃の量が増し、電動送風機３の電流値が下がり、紙パック９の取り替え時期が近づいたと判断するとインジケーターの表示体８が点灯される。この時、インジケーターの表示体８であるＬＥＤは集塵室蓋５の手掛け部５ａで直射光を防ぐとともに、手掛け部５ａの影によってＬＥＤの周りを暗くすることでＬＥＤの光を目立たせ、インジケーターの視認性の向上が図られている。
【００２３】
（実施例２）
次に、本発明の実施例２について、図３を参照して説明する。なお、上記実施例１と同一構成部品については同一符号を付与して、その詳細な説明を省略する。
【００２４】
電気掃除機のインジケーター制御において、集塵室６に塵埃を吸引するための電動送風機３と、前記電動送風機３の電流を検知する電流検知手段１０と、前記電流検知手段１０により検知した電流値によりインジケーターの表示体８のＬＥＤの点滅速度を制御する表示周期制御手段１１とで構成したものである。
【００２５】
上記構成による作用は、以下の通りである。
【００２６】
電動送風機３の吸引により、塵埃が集塵室６内の紙パック９へと集塵される。紙パック９内の塵埃の量が増し、電動送風機３の風量が低下すると電動送風機３の電流値が低下する。この特性を利用し、基準となる電流値を設定しておき、電流検知手段１０で検知した電動送風機３の電流値が基準電流値よりも下がると、紙パック９の取り替え時期が近づいてきたものと判断し、インジケーターの表示体８のＬＥＤを点滅させる。この基準電流値を幾つか設定しておき、その値を下回る毎にＬＥＤの点滅周期を速くしていき、最終的に満杯状態と判断した時点でＬＥＤを点灯させる。したがって、インジケーターのＬＥＤは１個でありながら、点滅周期を変えることで集塵室６内の塵埃の量を的確に表示することができる。
【００２７】
（実施例３）
次に、本発明の実施例３について、図４を参照して説明する。なお、上記実施例１と同一構成部品については同一符号を付与して、その詳細な説明を省略する。
【００２８】
電気掃除機のインジケーター制御において、集塵室６に塵埃を吸引するための多色発光タイプ表示素子１２を用いたインジケーター表示体と、集塵室６に塵埃を吸引するための電動送風機３と、前記電動送風機３の電流を検知する電流検知手段１０と、前記電流検知手段１０により検知した電流値により多色発光タイプ表示素子１２の色を制御する表示色制御手段１３とで構成したものである。
【００２９】
上記構成による作用は、以下の通りである。
【００３０】
電動送風機３の吸引により、塵埃が集塵室６内の紙パック９へと集塵される。紙パック９内の塵埃の量が増し、電動送風機３の風量が低下すると電動送風機３の電流値が低下する。この特性を利用し、基準となる電流値を設定しておき、電流検知手段１０で検知した電動送風機３の電流値が基準電流値よりも下がると、表示色制御手段１３により紙パック９の取り替え時期が近づいてきたものと判断し、インジケーターの表示体８のＬＥＤを橙色に点灯させる。さらに、集塵が進み、最終的に満杯状態と判断した時点でＬＥＤを赤色に点灯させる。したがって、インジケーターの表示体は１個でありながら、点灯色を変えることで集塵室６内の塵埃の量を的確に表示することができる。
【００３１】
（実施例４）
次に、本発明の実施例４について、図５を参照して説明する。なお、上記実施例１ないし実施例３と同一構成部品については同一符号を付与して、その詳細な説明を省略する。
【００３２】
電気掃除機のインジケーター制御において、運転中に充電し、運転停止後インジケーターの表示体８に電流を供給する充電手段１４を設けたものである。
【００３３】
上記構成による作用は、以下の通りである。
【００３４】
実施例１ないし実施例３のように、電動送風機３の電流値をもとにインジケーターの表示体８を制御している中、充電手段１４では運転中に充電が繰り返されており、掃除を終え電源を切った状態においても、充電手段１４に蓄えられた電流をこの充電手段１４からインジケーターの表示体８へと供給し続けることにより、塵埃の量を確認することができるのである。
【００３５】
（実施例５）
次に、本発明の実施例５について、図６を参照して説明する。なお、上記実施例１と同一構成部品については同一符号を付与して、その詳細な説明を省略する。
【００３６】
インジケーターの取り付け部と集塵室蓋５の手掛け部５ａの内側に互いに向き合うように反射材１５を設けた構成としたものである。
【００３７】
上記構成による作用は、以下の通りである。
【００３８】
表示体８の光を増幅させ、インジケーター取り付け部と集塵室蓋５の手掛け部５ａとで囲まれた部分全体が光るようにし、視認性の向上を図ることができる。
【００３９】
（実施例６）
次に、本発明の実施例６について、図７を参照して説明する。なお、上記実施例１，実施例２と同一構成部品については同一符号を付与して、その詳細な説明を省略する。
【００４０】
電気掃除機のインジケーターにおいて、掃除機本体のハンドル部１６に集塵室６内の塵埃の量を表示する電気式のインジケーターを設けるとともに、集塵室６内の塵埃の量に応じ、請求項２の実施例と同様にインジケーターの表示体の点滅周期を変化させたものである。
【００４１】
上記構成による作用は、以下の通りである。
【００４２】
電動送風機３の吸引により、塵埃が集塵室６内の紙パック９へと集塵される。紙パック９内の塵埃の量が増し、電動送風機３の風量が低下すると電動送風機３の電流値が低下する。この特性を利用し、基準となる電流値を設定しておき、電流検知手段１０で検知した電動送風機３の電流値が基準電流値よりも下がると、紙パック９の取り替え時期が近づいてきたものと判断し、ハンドル部１６に設けられたインジケーターの表示体８であるＬＥＤを点滅させる。
【００４３】
この基準電流値を幾つか設定しておき、その値を下回る毎に表示体８の点滅周期を速くしていき、最終的に満杯状態と判断した時点で表示体８を点灯させる。したがって、インジケーターの表示体８を手元に配置することにより、目の高さに近く、また本体側を振り向く必要がないため、より一層の視認性の向上を図ることができる。
【００４４】
また、本発明における表示体８は単色のＬＥＤを使用し点滅周期を変える手段を用いたが、多色発光タイプ表示素子１２を使用し、発光色を変化させても同様の効果が得られる。
【００４５】
（実施例７）
次に、本発明の実施例７について、図８を参照して説明する。なお、上記実施例１，実施例２と同一構成部品については同一符号を付与して、その詳細な説明を省略する。
【００４６】
前部に集塵室６、後部に電動送風機室４を形成する掃除機本体と、集塵室６の上部で集塵室６の開閉を担う集塵室蓋５と、集塵室６の前部に掃除機の運転状態を表示する運転表示部を設けるとともに、運転表示において、高，中，弱，切等の運転操作を行うハンドル部１６と、選択された運転状態に応じ運転表示部の発光素子の点滅速度を制御する運転表示制御手段１７とで構成したものである。
【００４７】
上記構成による作用は、以下の通りである。
【００４８】
ハンドル部１６にある運転ボタン１８を押すと、選択した運転状態に応じ、高では点灯し、中では速く点滅し、弱ではゆっくりと点滅し、切では消灯というように、運転表示制御手段１７により判断し、集塵室６の前部に配置されたＬＥＤへと指示が出される。この構成により、運転表示体への配線の引き回しを簡素化することができるとともに、前記運転表示体を集塵室蓋５の手掛け部５ａの下に配置させることで集塵室蓋５の手掛け部５ａが運転表示体の日除けとなり、直射光の侵入を防ぐことで、表示体の光を常に明るく視認性の良い状態で確認することができる。
【００４９】
また、本発明における表示体としてＬＥＤを用いたが、ブザー等の音源による表示体を用いても同様の効果が得られる。
【００５０】
【発明の効果】
本発明の請求項１記載の発明によれば、表示体を集塵室蓋の手掛け部の下に配置させたことにより、手掛け部が表示体の日除けとなり、表示体への直射光の侵入を防ぐことで、表示体は常に明るく視認性の良いものとなる。
【００５１】
本発明の請求項２記載の発明によれば、表示体を吸込通路内の塵埃の量に応じて動作するようにしたもので、吸込通路の一部である集塵室内の塵埃が増してきた時、その量を明確に誤認されることなく掃除機の使用者に知らしめることができる。
【００５２】
本発明の請求項３記載の発明によれば、表示体を掃除機本体の運転状態に応じて動作するようにしたもので、掃除機本体の運転状態を明確に掃除機の使用者に知らしめることができる。
【００５３】
本発明の請求項４記載の発明によれば、電流検知手段により検知された電動送風機の電流値に応じて、表示体を動作させるようにしたもので、電動送風機の負荷状態、すなわち集塵室内の塵埃の量を明確に掃除機の使用者に知らしめることができる。
【００５４】
本発明の請求項５記載の発明によれば、塵埃の量、掃除機本体の運転状態、または電流検知手段により検知された電流値に応じて表示体の点滅速度を可変にするようにしたもので、１個の表示体で、その点滅速度を可変にすることで、使用者に、塵埃の量、掃除機本体の運転状態、または電動送風機の負荷状態、すなわち塵埃室内の塵埃の量を的確に報知することができる。
【００５５】
本発明の請求項６記載の発明によれば、表示体は多色発光タイプ表示素子とし、塵埃の量、掃除機本体の運転状態、または電流検知手段により検知された電流値に応じて前記多色発光タイプ表示素子の色を制御する表示色制御手段を設けたもので、１個の表示体で、その点灯色を可変にすることで、使用者に、塵埃の量、掃除機本体の運転状態、または電動送風機の負荷状態、すなわち塵埃室内の塵埃の量を的確に報知することができる。
【００５６】
本発明の請求項７記載の発明によれば、掃除機本体の運転中に充電し、運転停止後に表示体に電流を供給する充電手段を設けることにより、掃除機本体の電源をオフにした状態においても、塵埃の量、掃除機本体の運転状態、または集塵室内の塵埃の量を確認することができる。
【００５７】
本発明の請求項８記載の発明によれば、表示体の取り付け部と、前記取り付け部に対向する集塵室蓋の手掛け部にそれぞれ反射材を設けたことにより、表示体の光を増幅させ、表示体の取り付け部と集塵室蓋の手掛け部とで囲まれた部分全体が光るようにし、視認性の向上を図ることができる。
【００５８】
本発明の請求項９記載の発明によれば、ホース手元部のハンドル部に発光部を有する電気式の運転表示制御手段を設け、集塵室内の塵埃の量に応じて前記発光部の点滅速度を変化させるようにしたことにより、本体を操作しながら手元で確認できるので、視認性がより一層高まるものである。
【図面の簡単な説明】
【図１】本発明の実施例１における電気掃除機の全体斜視図
【図２】同電気掃除機の要部断面図
【図３】本発明の実施例２における電気掃除機のシステムブロック図
【図４】本発明の実施例３における電気掃除機のシステムブロック図
【図５】本発明の実施例４における電気掃除機のシステムブロック図
【図６】本発明の実施例５における電気掃除機の要部断面図
【図７】本発明の実施例６における電気掃除機のハンドル部の斜視図
【図８】本発明の実施例７における電気掃除機のシステムブロック図
【図９】従来の電気掃除機の全体斜視図
【符号の説明】
３  電動送風機
５  集塵室蓋
６  集塵室
８  表示素子
１０  電流検知手段
１１  表示周期制御手段
１２  多色発光タイプ表示素子
１３  表示色制御手段
１４  充電手段
１５  反射材
１６  ハンドル部
１７  運転表示制御手段